(57)【要約】【課題】  照明装置の発光体の色彩、照度、照射範囲、照射位置等を任意に設定し、展示物の内容に応じた照明を照射して展示物が本来持つ特徴を活かし、より効果的な内容を表現することができる照明装置と照明方法を提供する。【解決手段】  展示物１０３を照射する複数の発光体４２を、各々照射条件を変更可能に取り付けた第１照明部３を設けると共に、展示物１０３の周辺を照明する第２照明部５を設けた照明装置１００と、前記照明装置１００を展示物１０３と観覧者１０４の間に配置し、前記第１照明部３を展示物１０３に向けて配置して展示物１０３の一部または全部を照射すると共に、前記第２照明部５で展示物１０３の周辺を照明する照明方法。【選択図】図１
2015164100.tif 000002
【特許請求の範囲】
【請求項１】
展示物を照射する複数の発光体を、各々照射条件を変更可能に取り付けたことを特徴とする照明装置。
【請求項２】
展示物を照射する複数の発光体を、各々照射条件を変更可能に取り付けた第１照明部を設けると共に、展示物の周辺を照明する第２照明部を設けたことを特徴とする照明装置。
【請求項３】
展示物を照射する複数の発光体を、各々照射条件を変更可能に取り付けた第１照明部を設けると共に、展示物の周辺を照明する第２照明部を設けた照明装置を用いた照明方法であり、
前記照明装置を展示物と観覧者の間に配置し、前記第１照明部を展示物に向けて配置して展示物の一部または全部を照射すると共に、前記第２照明部で展示物の周辺を照明することを特徴とする照明方法。
【発明の詳細な説明】
【技術分野】
【０００１】
本発明は、美術館などにおける絵画、屏風、彫刻等の展示物に対し効果的な照明を演出できる照明装置及び照明方法に関するものである。
【背景技術】
【０００２】
従来は、美術館などにおける絵画、屏風、彫刻等の展示物の照明は、展示室全体を照明する一般照明に委ねて照度をコントロールしたり、例えば特許文献１で提案されたような展示物の上部や下部等からスポットライトを照射しながら照度をコントロールする等、展示物に与える明るさを加減することで展示物を表現する方法が用いられていた。
【先行技術文献】
【特許文献】
【０００３】
【特許文献１】実開平７−３４４６９号公報
【０００４】
特許文献１に記載の展示パネル用照明装置は、展示パネルの上縁に沿って取付けられた通電レールと、この通電レールの任意の位置に着脱自在に取付けられた照明器とからなり、前記通電レールの一端側に差込プラグを取付けたリード線を接続すると共に、通電レールの他端側にコンセントを接続し、前記照明器は、接点が回動自在に形成された接続部の上部にアームを接合し、このアームの先端に電球が取付けられたものである。
【０００５】
前記特許文献１記載の展示パネル用照明装置によれば、組立式の展示パネル自体に照明装置が簡単に取付けられ、しかも位置調整や角度調整が容易であるので展示物に合わせて照明することができるという長所を有する。
【発明の概要】
【発明が解決しようとする課題】
【０００６】
しかしながら、前記特許文献１記載の照明装置のように展示物を同じ光源や照度で照らしてしまうと、展示物本来の持つ特徴が表現できないのである。すなわち、展示物には、作品としての全体を表す表現と全体の中で個別に表現した部位が存在することと、展示物の台紙や制作材料、題目、内容表現、例えば、材質、色調、形状、光沢、質量、質感、強調部、柔軟部、ストーリー等が展示物ごとにすべて異なるため、画一的な照明方法では、その作品の価値等を十分に引き出すことができないという課題があった。
【０００７】
そこで本発明は、前記課題を解決するために、照明装置の発光体の色彩、照度、照射範囲、照射位置等を任意に設定し、展示物の内容に応じた照明を照射して展示物が本来持つ特徴を活かし、より効果的な内容を表現することができる照明装置と照明方法を提供することを目的とする。
【課題を解決するための手段】
【０００８】
請求項１に記載の発明は、展示物を照射する複数の発光体を、各々照射条件を変更可能に取り付けた照明装置である。
【０００９】
請求項２に記載の発明は、展示物を照射する複数の発光体を、各々照射条件を変更可能に取り付けた第１照明部を設けると共に、展示物の周辺を照明する第２照明部を設けた照明装置である。
【００１０】
請求項３に記載の発明は、展示物を照射する複数の発光体を、各々照射条件を変更可能に取り付けた第１照明部を設けると共に、展示物の周辺を照明する第２照明部を設けた照明装置を用いた照明方法であり、前記照明装置を展示物と観覧者の間に配置し、前記第１照明部を展示物に向けて配置して展示物の一部または全部を照射すると共に、前記第２照明部で展示物の周辺を照明する照明方法である。
【発明の効果】
【００１１】
請求項１に記載の照明装置によれば、複数の発光体の色彩、照度、照射範囲、照射位置等の照射条件を任意に設定することができるため、展示物に最適で効果的な照射を行い、展示物が本来持つ豊かな内容を表現して、展示物の持つ価値を十分に引き出すことができる。
【００１２】
請求項２に記載の照明装置によれば、前記請求項１の効果に加え、展示物の周辺を展示物の照明に合わせて照明できるため、より展示物の照明効果を高めることができる。
【００１３】
請求項３に記載の照明方法によれば、前記請求項２の照明装置を展示物と観覧者の間に配置し、第１照明部を展示物に向けて配置して、発光体の照射を一方向から行うため観覧者からは第１照明部からの照射が見えず、かつ観覧者に漏れる第１照明部からの光量を抑えるので、展示物に予め色彩が施されているかのように最適な光を照射することができるため、展示物の表現力がより効果的に引き出され、第２照明装置の照明とあいまって、観覧者は最適な照明環境の下で展示物を見ることができる。
【図面の簡単な説明】
【００１４】
【図１】実施形態１の照明装置の正面図
【図２】実施形態１の照明装置の一部省略正面図
【図３】図１のIII−III線断面拡大回転図
【図４】第１照明部と第２照明部の一部省略した拡大正面図
【図５】本発明の照明方法の一態様を示す正面図
【発明を実施するための形態】
【００１５】
図１は本発明の実施形態１の照明装置の正面図である。
本実施形態の照明装置１００は、基台１に支柱２を立設し、この支柱の上端に第１照明部３を設け、前記第１照明部３の上部には第２照明部５を設けてある。図中符号６はコードである。
【００１６】
図示のように、第１照明部３は底板３１ａと一部に開口部３２を有する周側板３１ｂ及び天板３１ｃからなる筐体３１によって構成されている。前記筐体３１の内部底面には第１ボード３３を配置し、この第１ボード３３の中央付近には、上端に発光体である複数のＬＥＤ５４を備えた支持杆５２が固定台５１に固定されている。
この発光体はＬＥＤ(発光ダイオード)に限らず、ＬＤ(半導体レーザ)等の発光素子あるいは電球など各種の発光体を使用できる。
【００１７】
前記第１ボード３３の一側には支持部３４を垂直に固定し、この支持部３４に第２ボード３５が固定され、この第２ボード３５に複数のＬＥＤ４２が端子４１によって水平方向に取り付けられていて、開口部３２から光を照射できるようになっている。
前記端子４１は曲折自在であり、必要に応じて作業者が手で曲げてＬＥＤ４２を任意の方向に向けることができる。また、前記端子４１は着脱自在であり、前記ＬＥＤ４２は、１個ずつ色彩や照度の異なるものを使用できるとともに、必要に応じてＬＥＤ４２の個数を調整することができる。図中３７はコード、３８はコネクタである。
【００１８】
前記開口部３２は、周側板３１ｂの一部を所定の幅だけ切り欠いて形成されているので、ＬＥＤ４２の光は一方向（図３左方）に向かって照射される。このため他の３方向（図３右方、上下方向）からはＬＥＤ４２が見えず、開口部３２から光が照射されている状態を見ることができない。
【００１９】
第１ボード３３上には、複数のＬＥＤ４２の発光調整ネジ６６、６７、６８、発光調整ボタン５６、５７、５８を構成し、この３個のネジ、ボタンはそれぞれ上段、中断、下段に配置されたＬＥＤ４２，４２・・に対応して配置され、ＬＥＤ４２，４２・・の発光パターンの調整を行うことができる。
また、発光調整ネジ６９、発光調整ボタン５９は、第２照明部５のＬＥＤ５４，５４・・の点滅パターンを調整するためのものである。
【００２０】
第２照明部５は、前記第１照明部３の上部に構成された、支持杆５２と支持杆５２の上部に取り付けられた複数のＬＥＤ５４及びカバー６０からなる。前記支持杆５２は前記第１ボード３３の表面に固定された固定台５１に取り付けられている。
【００２１】
前記カバー６０は支持杆５２とＬＥＤ５４の周囲を覆い上部が開口しており、第１照明部３の上部に設けたカバー取付部６１に着脱自在に取り付けられている。
このカバー６０は透光性の材質よりなり、ＬＥＤ５４を保護すると共にＬＥＤ５４の照明を透過して行燈のような役目を果たし、さらにＬＥＤ５４を点滅させることで炎が揺らぎロウソクが灯されているような効果を生じる。
【００２２】
上記のように構成した実施形態１の作用を図５に基づいて説明する。
照明装置１００を、観覧者１０４と展示物１０３の間の展示台１０１上に配置する。
このとき第１照明部３の開口部３２を展示物１０３の方に向けて観覧者１０４から見えないようにする。そして展示物１０３の内容に応じて、照明の色彩、照度、照射範囲等を設定し、これに従ってＬＥＤ４２を選択して、発光調整ネジ６６、６７、６８、発光調整ボタン５６、５７、５８により発光パターンを調整し、同時に必要に応じて端子４１を曲げてＬＥＤ４２の照射角度も調整する。
【００２３】
このように、展示物１０３の全体又は個別に表現された各部位に応じて複数のＬＥＤ４２の色彩、照度等を調整して照射することで、当該展示物１０３に適した照射をすることができるのである。
そのため、展示物１０３が本来持つ特徴を活かし、より効果的な内容を表現することができる。特に、屏風のようにストーリー性のある展示物では、例えば強調したい箇所の照度を部分的に高めたり、内容に応じて赤色の照明、青色の照明など色彩を使い分けることができるため、観覧者１０４は展示物の内容やテーマを理解しやすくなる。また、ＬＥＤ４２の交換も簡単であるというメリットもある。
また観覧者は開口部３２が見えず、したがってＬＥＤ４２の光線が見えないため、どこから光が照射されているかわからず展示物１０３に予め色彩が施されているような感覚で鑑賞することができる。
【００２４】
第２照明部５は、室内に一定の照度を供給するとともに、観覧者１０４側へ漏れる第１照明部３の光量を抑制するので、良好な状態で展示物１０３を鑑賞することができる。また、ＬＥＤ５４，５４・・の照度を変更したり、あるいは発光調整ネジ６９、発光調整ボタン５９により、点滅パターンを調整するなどしてロウソクのような揺らぎのある炎を様々なパターンで表現させることで、展示物に応じた効果的な演出が可能となる。
さらに第２照明部５は、通常は展示物１０３の周辺の室内を照明するが、同時に展示物１０３を間接的に照明するという効果もある。
【００２５】
なお、本発明は上記実施形態に限定されるものではなく、具体的な細部構造については本発明の趣旨を逸脱しない範囲で適宜変更可能である。
【符号の説明】
【００２６】
１  基台                  ２  支柱
３  第１照明部            ５  第２照明部
３１  筐体                ３１ｂ  周側板
３２  開口部
３３  第１ボード          ３４  支持部
３５  第２ボード          ４１  端子
４２  ＬＥＤ（発光体）    ５４  ＬＥＤ（発光体）
５２  支持杆
５６、５７、５８、５９  発光調整ボタン
６６、６７、６８、６９  発光調整ネジ
６０  カバー              １００  照明装置
１０３  展示物            １０４  観覧者
【図１】
2015164100.tif 000003
【図２】
2015164100.tif 000004
【図３】
2015164100.tif 000005
【図４】
2015164100.tif 000006
【図５】
2015164100.tif 000007
【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
展示物を照射する複数の発光体からなる照明部を一の基台上に設け、前記発光体を、各々照射条件を変更可能に取り付けたことを特徴とする照明装置。  
【請求項２】
展示物を照射する複数の発光体からなる第１照明部と、展示物の周辺を照明する第２照明部とを一の基台上に設け、前記発光体を、各々照射条件を変更可能に取り付けたことを特徴とする照明装置。
【請求項３】
展示物を照射する複数の発光体からなる第１照明部と、展示物の周辺を照明する第２照明部とを一の基台上に設け、前記発光体を、各々照射条件を変更可能に取り付けた照明装置を用いた照明方法であり、前記照明装置を展示物と観覧者の間に配置し、前記第１照明部を展示物に向けて配置して展示物の一部または全部を照射すると共に、前記第２照明部で展示物の周辺を照明することを特徴とする照明方法。
【手続補正２】
【補正対象書類名】明細書
【補正対象項目名】０００８
【補正方法】変更
【補正の内容】
【０００８】
請求項１に記載の発明は、展示物を照射する複数の発光体からなる照明部を一の基台上に設け、前記発光体を、各々照射条件を変更可能に取り付けた照明装置である。  
【手続補正３】
【補正対象書類名】明細書
【補正対象項目名】０００９
【補正方法】変更
【補正の内容】
【０００９】
請求項２に記載の発明は、展示物を照射する複数の発光体からなる第１照明部と、展示物の周辺を照明する第２照明部とを一の基台上に設け、前記発光体を、各々照射条件を変更可能に取り付けた照明装置である。
【手続補正４】
【補正対象書類名】明細書
【補正対象項目名】００１０
【補正方法】変更
【補正の内容】
【００１０】
請求項３に記載の発明は、展示物を照射する複数の発光体からなる第１照明部と、展示物の周辺を照明する第２照明部とを一の基台上に設け、前記発光体を、各々照射条件を変更可能に取り付けた照明装置を用いた照明方法であり、前記照明装置を展示物と観覧者の間に配置し、前記第１照明部を展示物に向けて配置して展示物の一部または全部を照射すると共に、前記第２照明部で展示物の周辺を照明する照明方法である。
【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
基台に立設した支柱の上端に、底板と一部に開口部を有する周側板及び天板からなる筐体からなり前記底板に照射条件を変更可能な複数の発光体を取り付けた第１照明部と、
前記第１照明部の上部に、照射条件を変更可能な複数の発光体を取り付けるとともに前記発光体の周囲を覆い上部が開口した透光性の材質よりなるカバーを取り付けた第２照明部からなり、
前記第１照明部の開口部を展示物に向けて、発光体の発光パターンを調整して展示物に照射を行い、前記第２照明部によって、室内に一定の照度を供給するとともに観覧者側に漏れる第１照明部の光量を抑制し展示物を効果的に照射することを特徴とする照明装置。
【請求項２】
基台に立設した支柱の上端に、底板と一部に開口部を有する周側板及び天板からなる筐体からなり前記底板に照射条件を変更可能な複数の発光体を取り付けた第１照明部と、
前記第１照明部の上部に、照射条件を変更可能な複数の発光体を取り付けるとともに前記発光体の周囲を覆い上部が開口した透光性の材質よりなるカバーを取り付けた第２照明部からなる照明装置を用いた照明方法であり、
前記照明装置を展示物と観覧者の間の所望の位置に配置し、前記第１照明部の開口部を展示物に向けた後、展示物の各部位に応じて発光体の色彩、照度等の発光パターンを調整して展示物に向けて照射し、
同時に第２照明部の発光体の照度あるいは点滅パターンを調整して照射して、室内に一定の照度を供給するとともに観覧者側に漏れる第１照明部の光量を抑制し展示物を効果的に照射することを特徴とする照明方法。
【手続補正２】
【補正対象書類名】明細書
【補正対象項目名】０００８
【補正方法】変更
【補正の内容】
【０００８】
請求項１に記載の発明は、基台に立設した支柱の上端に、底板と一部に開口部を有する周側板及び天板からなる筐体からなり前記底板に照射条件を変更可能な複数の発光体を取り付けた第１照明部と、前記第１照明部の上部に、照射条件を変更可能な複数の発光体を取り付けるとともに前記発光体の周囲を覆い上部が開口した透光性の材質よりなるカバーを取り付けた第２照明部からなり、前記第１照明部の開口部を展示物に向けて、発光体の発光パターンを調整して展示物に照射を行い、前記第２照明部によって、室内に一定の照度を供給するとともに観覧者側に漏れる第１照明部の光量を抑制し展示物を効果的に照射することを特徴とする照明装置である。  
【手続補正３】
【補正対象書類名】明細書
【補正対象項目名】０００９
【補正方法】変更
【補正の内容】
【０００９】
請求項２に記載の発明は、基台に立設した支柱の上端に、底板と一部に開口部を有する周側板及び天板からなる筐体からなり前記底板に照射条件を変更可能な複数の発光体を取り付けた第１照明部と、前記第１照明部の上部に、照射条件を変更可能な複数の発光体を取り付けるとともに前記発光体の周囲を覆い上部が開口した透光性の材質よりなるカバーを取り付けた第２照明部からなる照明装置を用いた照明方法であり、前記照明装置を展示物と観覧者の間の所望の位置に配置し、前記第１照明部の開口部を展示物に向けた後、展示物の各部位に応じて発光体の色彩、照度等の発光パターンを調整して展示物に向けて照射し、同時に第２照明部の発光体の照度あるいは点滅パターンを調整して照射して、室内に一定の照度を供給するとともに観覧者側に漏れる第１照明部の光量を抑制し展示物を効果的に照射することを特徴とする照明方法である。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項１に記載の照明装置によれば、複数の発光体の色彩、照度、照射範囲、照射位置等の照射条件を任意に設定することができるため、展示物に最適で効果的な照射を行い、展示物が本来持つ豊かな内容を表現して、展示物の持つ価値を十分に引き出すことができる。さらに、展示物の周辺を展示物の照明に合わせて照明できるため、より展示物の照明効果を高めることができる。
【手続補正６】
【補正対象書類名】明細書
【補正対象項目名】００１２
【補正方法】変更
【補正の内容】
【００１２】
請求項２に記載の照明方法によれば、前記請求項１の照明装置を展示物と観覧者の間に配置し、第１照明部を展示物に向けて配置して、発光体の照射を一方向から行うため観覧者からは第１照明部からの照射が見えず、かつ観覧者に漏れる第１照明部からの光量を抑えるので、展示物に予め色彩が施されているかのように最適な光を照射することができるため、展示物の表現力がより効果的に引き出され、第２照明装置の照明とあいまって、観覧者は最適な照明環境の下で展示物を見ることができる。
【手続補正７】
【補正対象書類名】明細書
【補正対象項目名】００１３
【補正方法】削除
【補正の内容】